(57)【要約】【課題】合紙に印字する作像カウンタ等の不必要なカウントアップを防止する機能を提供する。【解決手段】光源を原稿に照射し、反射光を個体作像素子で電気信号に変換する手段と、原稿読み取り装置と、画像形成装置と、画像を電気信号に変換して読み込み、電気信号を前記画像形成装置で復元する手段を有する拡張機能と、電子ソート並びに回転電子ソート出力可能な画像記憶装置と、原稿給紙装置と、出力画像に印字を行う印字機能と、これらをＣＰＵによって制御するシステムコントローラとを有するデジタル複写機において、前記印字機能は、章句切り機能を実行する際のスタンプ印字機能であって、章の区切れに挿入する合紙に印字するスタンプの印字色を、選択したカラーモードと同一色の色に設定する。【選択図】　　　　図１
2004112236.tif 000002
【特許請求の範囲】
【請求項１】
光源を原稿に照射し、反射光を個体作像素子で電気信号に変換する手段と、
画像処理を行う画像処理手段とを有する原稿読み取り装置と、
電気信号で送られた画像イメージを紙に形成する手段を有する画像形成装置と、
画像を電気信号に変換して読み込み、電気信号を前記画像形成装置で復元する手段を有する拡張機能と、
電子ソート並びに回転電子ソート出力可能な画像記憶装置と、
原稿の先頭ページから給紙を行う原稿給紙装置と、
出力画像に印字を行う印字手段と、
これらをＣＰＵによって制御するシステムコントローラとを有するデジタル複写機において、
前記印字手段は、章句切り機能を実行する際のスタンプ印字手段であって、
章の区切れに挿入する合紙に印字するスタンプの印字色を、選択したカラーモードと同一色の色に設定することを特徴とするデジタル複写機。
【請求項２】
光源を原稿に照射し、反射光を個体作像素子で電気信号に変換する手段と、
画像処理を行う画像処理手段とを有する原稿読み取り装置と、
電気信号で送られた画像イメージを紙に形成する手段を有する画像形成装置と、
画像を電気信号に変換して読み込み、電気信号を前記画像形成装置で復元する手段を有する拡張機能と、
電子ソート並びに回転電子ソート出力可能な画像記憶装置と、
原稿の先頭ページから給紙を行う原稿給紙装置と、
出力画像に印字を行う印字手段と、
これらをＣＰＵによって制御するシステムコントローラとを有するデジタル複写機において、
前記印字手段は、章句切り機能を実行する際のスタンプ印字手段であって、
章の区切れに挿入する合紙に印字するスタンプの印字色を合紙以外の紙の印字色とは異なる色に設定することを特徴とするデジタル複写機。
【請求項３】
前記印字手段は、合紙に印字するスタンプの位置を、任意に設定可能とすることを特徴とする請求項１または２記載のデジタル複写機。
【請求項４】
電気信号で送られた画像イメージを紙に形成する画像形成手段と、
出力画像に印字を行う印字手段とを有する画像形成装置において、
前記印字手段は、章句切り機能を実行する際のスタンプ印字手段であって、
章の区切れに挿入する合紙に印字するスタンプの印字色を、選択したカラーモードと同一色の色に設定することを特徴とする画像形成装置。
【請求項５】
電気信号で送られた画像イメージを紙に形成する画像形成手段と、
出力画像に印字を行う印字手段とを有する画像形成装置において、
前記印字手段は、章句切り機能を実行する際のスタンプ印字手段であって、
章の区切れに挿入する合紙に印字するスタンプの印字色を合紙以外の紙の印字色とは異なる色に設定することを特徴とする画像形成装置。
【請求項６】
前記印字手段は、合紙に印字するスタンプの位置を、任意に設定可能とすることを特徴とする請求項４または５記載の画像形成装置。
【発明の詳細な説明】
【０００１】
【発明の属する技術分野】
本発明は、スタンプ等の印字機能、章区切り機能を有するデジタル複写機および画像形成装置に関する。
【０００２】
【従来の技術】
従来、章句切り機能を有する複写機において、章の区切りをわかりやすくするために合紙を挿入している。印字機能を使用し、合紙にもスタンプ等を印字できる機構になっている。
【０００３】
ここで、印字機能の動作について簡単に説明する。システムコントローラには、画像記憶装置（以下、メモリユニット）と、印字データを格納するメモリが装着される。ユーザスタンプ印字処理を行う場合、コピーアプリはシステムコントローラに対して、画像読み取り装置で読み取りった印字データを印字データ格納メモリに転送するよう指示する。１枚の画像読み取りが終了すると、画像読み取り装置からメモリユニットへの画像データ転送の指示を与え、また、メモリに転送された画像データに対して、操作者が選択した印字パターン（定形スタンプ印字、ユーザスタンプ印字）を合成する指示を与える。読み取った原稿はメモリユニットが保有する記憶手段に記憶されるが、記憶された画像データのページ管理（章区切りの合紙か、コピー転写機か）は、コピーアプリが論理的に制御が可能である。
【０００４】
画像の読み取り作業中、コピーアプリは、メモリユニットに対して、合紙ページを出力、ページ１を出力、ページ２を出力、といった論理指示を行い、合紙用の画像データ（白紙）もしくは記憶した画像データに操作者が選択した印字パターンを合成させ、画像形成装置へ転送させる。
【０００５】
【発明が解決しようとする課題】
合紙を挿入する章句切り機能を有する複写機において、カラー印字を行う場合選択しているカラーモード以外の色にて合紙に印字を行うと作像カウンタ等、本来カウントしない課金カウンタがカウントアップされる可能性がある。
【０００６】
また、合紙を色紙等わかりやすい紙にて行えば章の区切りが判別しやすいが、転写紙と同色の合紙を使用しているとせっかく合紙をいれていても章の区切りがわかりずらい。
【０００７】
本発明は上記事情に鑑みてなされたものであり、スタンプ等の印字機能、章句切り機能を有するデジタル複写機において、印字機能を選択しなくても章区切りの合紙に対して印字機能が選択でき、その印字色を印字機能の持つ印字色（合紙以外に印字する印字色）と独立して設定されているカラーモードと同じ色を自動的に選択することにより合紙に印字する作像カウンタ等の不必要なカウントアップを防止する機能が提供できることを目的とする。
【０００８】
また、スタンプ等の印字機能、章句切り機能を有するデジタル複写機において、印字機能を選択しなくても章区切りの合紙に対して印字機能が選択でき、合紙の印字色を操作者が任意に設定することにより合紙に印字するスタンプ色と異なる色にて合紙にスタンプ印字を行い章区切りの区切り目を容易に仕分けることを提供できることを目的とする。
【０００９】
また、本発明は、合紙の印字位置を操作者が任意に設定することにより、合紙に印字するスタンプ位置と異なる位置に合紙にスタンプ印字を行い、章区切りの区切り目を容易に仕分けることを提供できることを目的とする。
【００１０】
【課題を解決するための手段】
上記目的を達成するために、請求項１記載の発明は、光源を原稿に照射し、反射光を個体作像素子で電気信号に変換する手段と、画像処理を行う画像処理手段とを有する原稿読み取り装置と、電気信号で送られた画像イメージを紙に形成する手段を有する画像形成装置と、画像を電気信号に変換して読み込み、電気信号を前記画像形成装置で復元する手段を有する拡張機能と、電子ソート並びに回転電子ソート出力可能な画像記憶装置と、原稿の先頭ページから給紙を行う原稿給紙装置と、出力画像に印字を行う印字手段と、これらをＣＰＵによって制御するシステムコントローラとを有するデジタル複写機において、前記印字手段は、章句切り機能を実行する際のスタンプ印字手段であって、章の区切れに挿入する合紙に印字するスタンプの印字色を、選択したカラーモードと同一色の色に設定することを特徴としている。
【００１１】
請求項２記載の発明は、光源を原稿に照射し、反射光を個体作像素子で電気信号に変換する手段と、画像処理を行う画像処理手段とを有する原稿読み取り装置と、電気信号で送られた画像イメージを紙に形成する手段を有する画像形成装置と、画像を電気信号に変換して読み込み、電気信号を前記画像形成装置で復元する手段を有する拡張機能と、電子ソート並びに回転電子ソート出力可能な画像記憶装置と、原稿の先頭ページから給紙を行う原稿給紙装置と、出力画像に印字を行う印字手段と、これらをＣＰＵによって制御するシステムコントローラとを有するデジタル複写機において、前記印字手段は、章句切り機能を実行する際のスタンプ印字手段であって、章の区切れに挿入する合紙に印字するスタンプの印字色を合紙以外の紙の印字色とは異なる色に設定することを特徴としている。
【００１２】
請求項３記載の発明は、請求項１または２記載の発明において、前記印字手段は、合紙に印字するスタンプの位置を、任意に設定可能とすることを特徴としている。
【００１３】
請求項４記載の発明は、電気信号で送られた画像イメージを紙に形成する画像形成手段と、出力画像に印字を行う印字手段とを有する画像形成装置において、前記印字手段は、章句切り機能を実行する際のスタンプ印字手段であって、章の区切れに挿入する合紙に印字するスタンプの印字色を、選択したカラーモードと同一色の色に設定することを特徴としている。
【００１４】
請求項５記載の発明は、電気信号で送られた画像イメージを紙に形成する画像形成手段と、出力画像に印字を行う印字手段とを有する画像形成装置において、前記印字手段は、章句切り機能を実行する際のスタンプ印字手段であって、章の区切れに挿入する合紙に印字するスタンプの印字色を合紙以外の紙の印字色とは異なる色に設定することを特徴としている。
【００１５】
請求項６記載の発明は、請求項４または５記載の発明において、前記印字手段は、合紙に印字するスタンプの位置を、任意に設定可能とすることを特徴としている。
【００１６】
【発明の実施の形態】
まず、本説明で共通に使用される用語の説明、定義を行う。
【００１７】
デジタル複写機で用いられる「画像読み取り装置」は、光源を原稿に照射し、その反射光を「固体作像素子＝ＣＣＤ」で電気信号に変換し、必要な画像処理を行う機能を持った装置が使用されている。
【００１８】
デジタル複写機で用いられる「画像形成装置」は、電気信号で送られた画像イメージを電子写真、感熱、熱転写、インクジェット等の手段により普通紙、感熱紙等に形成する装置である。
【００１９】
デジタル複写機の大きな特徴に、画像を電気信号に変換して読み込み、電気信号を画像形成装置で復元する特徴を有する。この時読みとった電気信号を様々に変化、伝達する手段を持つことにより複写機以外の分野に応用可能となる。前述のＦＡＸ、プリンター以外にスキャナ、ファイルシステム等応用範囲は非常に広い。これらの拡張機能を「アプリケーション」と表現する。
【００２０】
前記画像読み取り装置で変換された画像の電気信号、画像形成装置へ入力される画像の電気信号、及び画像の電気信号と同期をとるための信号をまとめて「ビデオ信号」と表現する。
【００２１】
ビデオ信号を画像読み取り装置と、画像形成装置と、アプリケーションとの間でやりとりするためには、装置間で情報を伝達しあう必要がある。この手段を「制御信号」または「コマンド」発行と表現する。
【００２２】
最近のデジタル複写機では、アプリを１つ登載するのみでなく複数アプリを同時登載するようになってきた。この様に一つの資源を共有するデジタル複写機を「システム」と表現し、このシステムを制御するコントローラを「システム制御」、「システムコントローラ」と表現する。
【００２３】
複数アプリから共有される機能ユニット単位を「資源」、「リソース」と表現する。前述のシステムコントローラは、このリソース単位でシステム制御を行っている。本発明のデジタル複写機で管理している資源は、画像読み取り装置と、画像形成装置と、操作部と、メモリと、周辺機（ＤＦ＝原稿仕送り装置、ソーター等）とがある。
【００２４】
通常画像出力は、目的を同じくする一連の動作（＝１ジョブ）を完了するまで他の動作は実行しない。例えば最近のデジタル複写機では機能が複合され、複写機＋ＦＡＸまたはプリンターあるいはそれ以上の組み合わせを１台に集約している。しかし、そのほとんどが例えば複写機能が終了してからプリンター出力に切り替える様に機能単位（＝ジョブ単位）の出力を行っている。これに対して、１ジョブの出力に他のジョブ出力を差し込んで出力することを「インターリーブ」と表現する。主に画像出力時の動作説明で用いられる。例えば複写機の出力中に、プリンター出力を機械動作を止めること無く実現する。
【００２５】
電気ソートは、省スペースを実現するため、従来のソーター装置の代わりにセットした原稿の画像データを画像記憶装置（メモリ）に記憶させて、コピーを同一排紙口に自動的に仕分けするモード。更に操作性を向上するために、部数ごとに同一サイズで用紙方向が異なる転写紙の給紙を行い、画像記憶装置内に記憶されている画像データを９０度回転させて画像形成を行い、出力結果（コピーされた用紙）は１部ずつ交互に向きを変えて排出する場合もある（以下、回転電子ソートと称する）。
【００２６】
「スタンプ印字」、「ユーザスタンプ印字」とは、出力画像に「マル秘」、「複写禁止」等の定形パターンを合成して、配布する資料の管理状態を明示するスタンプ印字モードであって、オペレータ所望のパターンをスキャナから読み込ませ、そのパターンをメモリ上に記憶させ、そのパターンを選択時、出力画像に合成させるユーザースタンプ印字モードである。
【００２７】
以下、本発明の実施の形態を添付図面を参照しながら詳細に説明する。
【００２８】
まず、本発明の対象となるデジタル複写機のシステム制御について説明を行う。図１に、デジタル複写機の外観図、図２に操作部（操作パネル）の概略図、図３にシステム・ソフト例を、図４にシステム・ハード構成例を示す。
【００２９】
図１は、画像形成装置１０１と、給紙トレイ１０２と、原稿自動給紙装置１０３と、第１給紙トレイ１０４と、第２給紙トレイ１０５と、第３給紙トレイ１０６と、第４給紙トレイ１０７とを有し構成されている。
【００３０】
図２は、本発明を実現するための操作部の主だったキーの各名称を示したものである。図２は、プログラム登録／呼び出しキーと２０１、割込みキー２０２と、初期設定キー２０３と、ＦＡＸ用短縮キー群２０４と、テンキー２０５と、アプリケーション切り替えキー２０６と、メニューキー２０７とを有し構成されている。
【００３１】
プログラム登録／呼び出しキー２０１は、プログラムモードの登録や呼び出しに用いられる。初期設定キー２０３は初期設定を行う時に使用される。ＦＡＸ用短縮キー群２０４の０１〜２８までのキーは、ファクシミリモードのプログラムの割り当てに使用される。テンキー２０５の０〜９間でのキーは種々の設定を行う他、コピーモードのプログラムの割り当てに使用される。アプリケーション切り替えキー２０６は、コピー、ファックス、プリンタの各アプリケーションへの切り替えキーで、押下されたキーに相当するアプリケーションへ操作部表示権を譲渡する。
【００３２】
マルチタスク型のシステムを構成するためには、機能単位をリソースとして扱い、一つのリソースを複数アプリで共有するための管理を行う必要がある。この管理を行うのが図３に示すシステム制御層である。図３は、コピーアプリ３０１と、プリンタアプリ３０２と、ＦＡＸアプリ３０３と、その他アプリ３０４と、システムコントローラ３０５と、操作部コントローラ３０６と、周辺機コントローラ３０７と、画像形成装置コントローラ３０８と、画像読み取り装置コントローラ３０９と、入出力制御３１０とを有し構成されている。
【００３３】
図３におけるデバイス制御層は、システム制御層からのコマンド、制御信号等の論理的指示から、実際に装置を動かすためにクラッチ、センサー、モーター等の機械的入出力を駆動、入力する変換を行っている。また、図３におけるアプリケーション層は、拡張機能としてコピー、プリンタ、ＦＡＸ等の複数アプリがシステム制御層から提供される機能により共存可能となる層である。
【００３４】
図４は、システム・ハード構成の一例を示す図であり、コピーアプリ３０１と、プリンタアプリ３０２と、ＦＡＸアプリ３０３と、システムコントローラ３０５と、ＣＰＵ４０１と、印字データ４０２と、ページメモリ４０３と、ＣＰＵ４０４と、ページメモリ４０５と、ＣＰＵ４０６と、ページメモリ４０７と、操作部制御バス４０８と、画像信号バス４０９と、制御信号線４１０と、操作部４１１と、画像読み取り装置４１２と、画像形成装置４１３と、ＣＰＵ４１４とを有し構成されている。
【００３５】
図４のハード構成例では、アプリ３０１、３０２、３０３ごとにＣＰＵ４０１、４０４、４０６を持たせ、システム制御層、デバイス制御層を１ＣＰＵで制御しているが、各アプリ、システム制御、隔離ソースにＣＰＵをもたせシステム制御コントローラから各コントローラへのコマンドを制御信号線で伝達するハードウェアも考えられる。ここで、画像読み取り装置には、同図では特に図示していない原稿自動給紙が接続され、原稿セットセンサー情報や、原稿台にセットされた原稿サイズを検知するためのサイズ検知センサー情報などが入力される。このサイズ検知センサーは反射型のセンサーであり、原稿給紙台に数個並べられ、原稿がセットされた時にセンサー入力がＯＮ／ＯＦＦの組合せにて原稿サイズの検知が可能である。
【００３６】
図４の画像形成装置４１３は、回転偏向手段（ポリゴンモータ）が有したレーザー走査系を有し、このポリゴンモータへは、回転駆動を支持するための起動信号＝ＯＮが出力され、この結果、回転数が定格回転になった場合は、その旨を知らせるロック信号が入力される。記録紙への印刷は当然このポリゴンモータが定格回転になっている状態に限定されるが、全ての印刷動作が終了すると、システムコントローラ３０５はポリゴンモータは停止するように起動信号＝ＯＦＦ出力を行う。
【００３７】
また、図４には、操作部４１１の制御を行うための操作部制御バス４０８があるが、前述の制御信号線を用いたコマンドのやりとりで行うことも当然考えられる。
【００３８】
なお、図９は、スタンプと画像データのＯＲ処理の合成イメージを示す図である。
【００３９】
次に、本発明の動作を説明する。図１０は、本発明の全体的な制御処理動作を示すフローチャートである。操作部から章区切りモードを選択する場合であって（ステップＳ１００１でＹｅｓ）、合成タグ印字モードを選択しない場合は（ステップＳ１００２でＮｏ）、印字色がカラーモードと同一色設定でなければ（ステップＳ１００３でＮｏ）、操作者の入力した印字色を合紙の印字色に設定し（ステップＳ１００４）、選択されているカラーモードから合紙の印字色を設定し（ステップＳ１００５）、操作者の入力した印字位置を設定し（ステップＳ１００６）、スタートキーがＯＮであって（ステップＳ１００７でＹｅｓ）、合紙の出力があれば（ステップＳ１００８でＹｅｓ）、章毎のタグ印字位置にしていされた印字パターンを書込んで（ステップＳ１００９）、処理フローから復帰する。
【００４０】
＜実施例１＞
本発明は、図１０に示す制御により実施される。操作者によって合紙用スタンプ印字を選択された時、図６、８の操作画面設定から印字色設定キーを押下することにより選択されているカラーモードと同じ色にて印字パターンを出力する転写紙に印字する。
【００４１】
＜実施例２＞
本発明は、図１０に示す制御によって実施される。操作者によって合紙用スタンプ印字を選択された時、図６、８の操作画面から印字色設定キーを押下することにより、任意の印字色を操作部画面から入力する。複写機側は、この入力値に従って、合紙のスタンプ印字色にて合紙に印字する。
【００４２】
＜実施例３＞
本発明は、図１０に示す制御によって実施される。操作者によって合紙にタグ用スタンプ印字を選択されたとき、図６、７の操作画面から印字位置設定キーを押下することにより、任意の位置にタグ用スタンプの印字位置を操作部図面から入力する。複写機側は、この入力値に従って合紙の副走査の基準位置から、タグ印字を合紙に印字する。
【００４３】
【発明の効果】
以上の説明から明らかなように、本発明によれば、スタンプ等の印字機能、章句切り機能を有するデジタル複写機および画像形成装置において、印字機能を選択しなくても章区切りの合紙に対して印字機能が選択でき、その印字色を印字機能の持つ印字色（合紙以外に印字する印字色）と独立して設定されているカラーモードと同じ色を自動的に選択することにより合紙に印字する作像カウンタ等の不必要なカウントアップを防止する機能を提供することができる。
【００４４】
また、本発明によれば、スタンプ等の印字機能、章句切り機能を有するデジタル複写機および画像形成装置において、印字機能を選択しなくても章区切りの合紙に対して印字機能が選択でき、合紙の印字色を操作者が任意に設定することにより合紙に印字するスタンプ色と異なる色にて合紙にスタンプ印字を行い章区切りの区切り目を容易に仕分けることができる。
【００４５】
また、本発明によれば、合紙の印字位置を操作者が任意に設定することにより合紙に印字するスタンプ位置と異なる位置に合紙にスタンプ印字を行い章区切りの区切り目を容易に仕分けることができる。
【図面の簡単な説明】
【図１】本発明を実施する上での画像形成装置内のレイアウトの概略を示す図である。
【図２】本発明の画像形成装置の操作部（操作パネル）の概略の一例を示す図である。
【図３】システム・ソフト構成例を示すブロック図である。
【図４】システム・ハード構成例を示すブロック図である。
【図５】操作画面の基本画面の一例を示す図である。
【図６】操作画面の合紙用スタンプ選択モード画面の一例を示す図である。
【図７】操作画面の合紙用スタンプ位置選択モード画面の一例を示す図である。
【図８】操作画面の合紙用スタンプ色選択モード画面の一例を示す図である。
【図９】スタンプと画像データのＯＲ処理の一例を示す図である。
【図１０】本発明の画像形成装置の処理を示すフローチャートである。
【符号の説明】
１０１、４１３　画像形成装置
２０１　プログラム登録・呼び出しキー
２０６　アプリケーション切り替えキー
３０１　コピーアプリ
３０２　ＦＡＸアプリ
３０３　プリンタアプリ
３０５　システムコントローラ
４０８　操作部制御バス
４１１　操作部
【図１】
2004112236.tif 000003
【図２】
2004112236.tif 000004
【図３】
2004112236.tif 000005
【図４】
2004112236.tif 000006
【図５】
2004112236.tif 000007
【図６】
2004112236.tif 000008
【図７】
2004112236.tif 000009
【図８】
2004112236.tif 000010
【図９】
2004112236.tif 000011
【図１０】
2004112236.tif 000012